(57)【特許請求の範囲】
【請求項１】
第１出力系統と、第２出力系統と、を有する音声処理装置であって、
前記第１出力系統に含まれる第１再生デバイスと、
前記第２出力系統に含まれる第２再生デバイスと、
第１デジタル音声信号と、前記第１デジタル音声信号とデータ形式が異なる第２デジタル音声信号と、をＤ／Ａ変換する第１Ｄ／Ａコンバーターと、
前記第２デジタル音声信号をＤ／Ａ変換する第２Ｄ／Ａコンバーターと、
前記第１出力系統に含まれる第１アナログ出力端子と、
前記第２出力系統に含まれる第２アナログ出力端子と、
前記第１再生デバイスと、前記第１Ｄ／Ａコンバーター又は前記第２Ｄ／Ａコンバーターと、を接続し、且つ、前記第２再生デバイスと、前記第１Ｄ／Ａコンバーター又は前記第２Ｄ／Ａコンバーターと、を接続する第１スイッチと、
前記第１Ｄ／Ａコンバーターと、前記第１アナログ出力端子又は前記第２アナログ出力端子と、を接続し、且つ、前記第２Ｄ／Ａコンバーターと、前記第１アナログ出力端子又は前記第２アナログ出力端子と、を接続する第２スイッチと、
前記第２出力系統において前記第１デジタル音声信号を再生する場合、前記第１スイッチにより、前記第２再生デバイスと前記第１Ｄ／Ａコンバーターとを接続し、前記第２スイッチにより、前記第１Ｄ／Ａコンバーターと前記第２アナログ出力端子とを接続する制御部と、
を備えることを特徴とする音声処理装置。
【請求項２】
前記制御部は、前記第２出力系統において前記第１デジタル音声信号を再生する場合、前記第１Ｄ／Ａコンバーターにデジタル音声信号が入力されていなければ、前記第１スイッチにより、前記第２再生デバイスと前記第１Ｄ／Ａコンバーターとを接続し、前記第２スイッチにより、前記第１Ｄ／Ａコンバーターと前記第２アナログ出力端子とを接続することを特徴とする請求項１に記載の音声処理装置。
【請求項３】
前記制御部は、前記第１出力系統において前記第２デジタル音声信号を再生し、且つ、前記第２出力系統において前記第１デジタル音声信号を再生する場合、前記第１スイッチにより、前記第１再生デバイスと前記第２Ｄ／Ａコンバーターとを接続し、且つ、前記第２再生デバイスと前記第１Ｄ／Ａコンバーターとを接続し、前記第２スイッチにより、前記第２Ｄ／Ａコンバーターと前記第１アナログ出力端子とを接続し、且つ、前記第１Ｄ／Ａコンバーターと前記第２アナログ出力端子とを接続することを特徴とする請求項１に記載の音声処理装置。
【請求項４】
第１出力系統と、第２出力系統と、を有する音声処理装置であって、
前記第１出力系統に含まれる第１再生デバイスと、
前記第２出力系統に含まれる第２再生デバイスと、
デジタル音声信号をＤ／Ａ変換する第１Ｄ／Ａコンバーターと、
デジタル音声信号をＤ／Ａ変換する、前記第１Ｄ／Ａコンバーターよりも性能が劣る第２Ｄ／Ａコンバーターと、
前記第１出力系統に含まれる第１アナログ出力端子と、
前記第２出力系統に含まれる第２アナログ出力端子と、
前記第１再生デバイスと、前記第１Ｄ／Ａコンバーター又は前記第２Ｄ／Ａコンバーターと、を接続し、且つ、前記第２再生デバイスと、前記第１Ｄ／Ａコンバーター又は前記第２Ｄ／Ａコンバーターと、を接続する第１スイッチと、
前記第１Ｄ／Ａコンバーターと、前記第１アナログ出力端子又は前記第２アナログ出力端子と、を接続し、且つ、前記第２Ｄ／Ａコンバーターと、前記第１アナログ出力端子又は前記第２アナログ出力端子と、を接続する第２スイッチと、
前記第２出力系統においてデジタル音声信号を再生する場合、前記第１スイッチにより、前記第２再生デバイスと前記第１Ｄ／Ａコンバーターとを接続し、前記第２スイッチにより、前記第１Ｄ／Ａコンバーターと前記第２アナログ出力端子とを接続する制御部と、
を備えることを特徴とする音声処理装置。
【請求項５】
前記第１出力系統は、７．１チャンネルのデジタル音声信号を再生し、
前記第２出力系統は、２チャンネルのデジタル音声信号を再生し、
前記第１Ｄ／Ａコンバーターは、２チャンネルのデジタル音声信号をそれぞれＤ／Ａ変換する４つのＤ／Ａコンバーターを含み、
前記第２Ｄ／Ａコンバーターは、２チャンネルのデジタル音声信号をＤ／Ａ変換するＤ／Ａコンバーターであり、
前記第１スイッチは、前記第１再生デバイスのサラウンドバックレフトデジタル音声信号及びサラウンドバックライトデジタル音声信号を出力するサラウンドバックポートと、前記第１Ｄ／Ａコンバーターのうちのサラウンドバックレフトデジタル音声信号及びサラウンドバックライトデジタル音声信号用のサラウンドバックＤ／Ａコンバーター又は前記第２Ｄ／Ａコンバーターと、を接続し、且つ、前記第２再生デバイスと、前記サラウンドバックＤ／Ａコンバーター又は前記第２Ｄ／Ａコンバーターと、を接続し、
前記第２スイッチは、前記サラウンドバックＤ／Ａコンバーターと、前記第１アナログ出力端子のうちのサラウンドバックレフトアナログ音声信号及びサラウンドバックライトアナログ音声信号用のサラウンドバックアナログ出力端子又は前記第２アナログ出力端子と、を接続し、且つ、前記第２Ｄ／Ａコンバーターと、前記サラウンドバックアナログ出力端子又は前記第２アナログ出力端子と、を接続することを特徴とする請求項１〜４のいずれか１項に記載の音声処理装置。
【請求項６】
前記第１出力系統は、５．１チャンネルのデジタル音声信号を再生し、
前記第２出力系統は、２チャンネルのデジタル音声信号を再生し、
前記第１Ｄ／Ａコンバーターは、２チャンネルのデジタル音声信号をそれぞれＤ／Ａ変換する３つのＤ／Ａコンバーターを含み、
前記第２Ｄ／Ａコンバーターは、２チャンネルのデジタル音声信号をＤ／Ａ変換するＤ／Ａコンバーターであり、
前記第１スイッチは、前記第１再生デバイスのサラウンドレフトデジタル音声信号及びサラウンドライトデジタル音声信号を出力するサラウンドポートと、前記第１Ｄ／Ａコンバーターのうちのサラウンドレフトデジタル音声信号及びサラウンドライトデジタル音声信号用のサラウンドＤ／Ａコンバーター又は前記第２Ｄ／Ａコンバーターと、を接続し、且つ、前記第２再生デバイスと、前記サラウンドＤ／Ａコンバーター又は前記第２Ｄ／Ａコンバーターと、を接続し、
前記第２スイッチは、前記サラウンドＤ／Ａコンバーターと、前記第１アナログ出力端子のうちのサラウンドレフトアナログ音声信号及びサラウンドライトアナログ音声信号用のサラウンドアナログ出力端子又は前記第２アナログ出力端子と、を接続し、且つ、前記第２Ｄ／Ａコンバーターと、前記サラウンドアナログ出力端子又は前記第２アナログ出力端子と、を接続することを特徴とする請求項１〜４のいずれか１項に記載の音声処理装置。
【請求項７】
前記第１デジタル音声信号は、前記第２デジタル音声信号よりもデータ量が多いことを特徴とする請求項１〜３のいずれか１項に記載の音声処理装置。
【請求項８】
前記第１デジタル音声信号は、ＤＳＤデータであり、
前記第２デジタル音声信号は、ＰＣＭデータであることを特徴とする請求項１〜３のいずれか１項に記載の音声処理装置。
【発明の詳細な説明】
【技術分野】
【０００１】
本発明は、デジタル音声信号に音声信号処理を行う音声処理装置に関する。
【背景技術】
【０００２】
デジタル音声信号に、Ｄ／Ａ変換、増幅等の音声信号処理を行う音声処理装置として、ＡＶレシーバーがある。特許文献１に記載のＡＶレシーバーは、デジタル音声信号に音声信号処理を行って、メインルームに配置されているメインスピーカーにアナログ音声信号を出力する（メイン出力系統（第１出力系統））。また、特許文献１に記載のＡＶレシーバーは、デジタル音声信号に音声信号処理を行って、Ｚｏｎｅ２ルーム（サブルーム）に配置されているＺｏｎｅ２スピーカー（サブスピーカー）にアナログ音声信号を出力する（Ｚｏｎｅ２出力系統（第２出力系統））。
【０００３】
図５は、従来のＡＶレシーバーの構成を示すブロック図である。ＡＶレシーバー１０１は、例えば、７．１チャンネルのデジタル音声信号に音声信号処理を行うことが可能である。図５に示すように、ＡＶレシーバー１０１は、ＤＳＰ１０５、Ｚｏｎｅ２再生デバイス１０６、ＤＡＣ１０７〜１１１を備える。ＤＳＰ１０５は、デジタル音声信号を再生するデバイスである。ＤＳＰ１０５は、メインスピーカーに出力される音声信号用の再生デバイスである。Ｚｏｎｅ２再生デバイス１０６は、デジタル音声信号を再生するデバイスである。Ｚｏｎｅ２再生デバイス１０６は、Ｚｏｎｅ２スピーカーに出力される音声信号用の再生デバイスである。ＤＡＣ１０７〜１１０は、ＤＳＰ１０５から出力されるデジタル音声信号をアナログ音声信号にＤ／Ａ変換する。ＤＡＣ１０７〜１１０は、ＤＳＤ（Direct Stream Digital）データ、ＰＣＭ（Pulse Code Module）データをＤ／Ａ変換可能である。また、ＤＡＣ１０７〜１１０は、それぞれ、２チャンネルＤＡＣである。
【０００４】
ＤＡＣ１０７には、フロントレフトデジタル音声信号と、フロントライトデジタル音声信号と、が入力される。ＤＡＣ１０７は、フロントレフトデジタル音声信号と、フロントライトデジタル音声信号と、をＤ／Ａ変換して、それぞれ、フロントレフトアナログ出力端子と、フロントライトアナログ出力端子と、に出力する。ＤＡＣ１０８には、センターデジタル音声信号と、サブウーファーデジタル音声信号と、が入力される。ＤＡＣ１０８は、センターデジタル音声信号と、サブウーファーデジタル音声信号と、をＤ／Ａ変換して、それぞれ、センターアナログ出力端子と、サブウーファーアナログ出力端子と、に出力する。ＤＡＣ１０９には、サラウンドレフトデジタル音声信号と、サラウンドライトデジタル音声信号と、が入力される。ＤＡＣ１０９は、サラウンドレフトデジタル音声信号と、サラウンドライトデジタル音声信号と、をＤ／Ａ変換して、それぞれ、サラウンドレフトアナログ出力端子と、サラウンドライトアナログ出力端子と、に出力する。ＤＡＣ１１０には、サラウンドバックレフトデジタル音声信号と、サラウンドバックライトデジタル音声信号と、が入力される。ＤＡＣ１１０は、サラウンドバックレフトデジタル音声信号と、サラウンドバックライトデジタル音声信号と、をＤ／Ａ変換して、それぞれ、サラウンドバックレフトアナログ出力端子と、サラウンドバックライトアナログ出力端子と、に出力する。
【０００５】
ＤＡＣ１１１は、Ｚｏｎｅ２再生デバイス１０６から出力されるデジタル音声信号をアナログ音声信号にＤ／Ａ変換する。ＤＡＣ１１１は、ＰＣＭデータをＤ／Ａ変換可能であるが、ＤＳＤデータをＤ／Ａ変換することはできない。また、ＤＡＣ１１１は、２チャンネルＤＡＣである。ＤＡＣ１１１には、Ｚｏｎｅ２レフトデジタル音声信号と、Ｚｏｎｅ２ライトデジタル音声信号と、が入力される。ＤＡＣ１１１は、Ｚｏｎｅ２レフトデジタル音声信号と、Ｚｏｎｅ２ライトデジタル音声信号と、をＤ／Ａ変換して、それぞれ、Ｚｏｎｅ２レフトアナログ出力端子と、Ｚｏｎｅ２ライトアナログ出力端子と、に出力する。
【０００６】
フロントレフトアナログ出力端子と、フロントライトアナログ出力端子と、には、それぞれ、フロントレフトスピーカーと、フロントライトスピーカーと、が接続されている。センターアナログ出力端子と、サブウーファーアナログ出力端子と、には、それぞれ、センタースピーカーと、サブウーファースピーカーと、が接続されている。サラウンドレフトアナログ出力端子と、サラウンドライトアナログ出力端子と、には、それぞれ、サラウンドレフトスピーカーと、サラウンドライトスピーカーと、が接続されている。サラウンドバックレフトアナログ出力端子と、サラウンドバックライトアナログ出力端子と、には、それぞれ、サラウンドバックレフトスピーカーと、サラウンドバックライトスピーカーと、が接続されている。フロントレフトスピーカーと、フロントライトスピーカーと、センタースピーカーと、サブウーファースピーカーと、サラウンドレフトスピーカーと、サラウンドライトスピーカーと、サラウンドバックレフトスピーカーと、サラウンドバックライトスピーカーと、がメインスピーカーを構成する。メインスピーカーは、ＤＡＣ１０７〜１１０から出力される７．１チャンネルのアナログ音声信号に従って、音声を再生する。
【０００７】
Ｚｏｎｅ２レフトアナログ出力端子と、Ｚｏｎｅ２ライトアナログ出力端子と、には、それぞれ、フロントレストスピーカーと、フロントライトスピーカーと、が接続されていている。フロントレストスピーカーと、フロントライトスピーカーと、がＺｏｎｅ２スピーカーを構成する。Ｚｏｎｅ２スピーカーは、ＤＡＣ１１１から出力される２チャンネルのアナログ音声信号に従って、音声を再生する。
【先行技術文献】
【特許文献】
【０００８】
【特許文献１】特開２０１３−０４６２６５号公報
【発明の概要】
【発明が解決しようとする課題】
【０００９】
上述した従来のＡＶレシーバー１０１では、製品単価を抑えるため、Ｚｏｎｅ２用のＤＡＣ１１１として、データ量の多いＤＳＤデータをＤ／Ａ変換できない安価なものが採用されている。このため、Ｚｏｎｅ２ルームにＤＳＤデータを再生して出力することができないという問題がある。
【００１０】
本発明の目的は、第１出力系統と、第２出力系統と、を有する音声処理装置において、第２出力系統においても、第１出力系統と同じ音声信号を再生可能とすることである。
【課題を解決するための手段】
【００１１】
第１の発明の音声処理装置は、第１出力系統と、第２出力系統と、を有する音声処理装置であって、前記第１出力系統に含まれる第１再生デバイスと、前記第２出力系統に含まれる第２再生デバイスと、第１デジタル音声信号と、前記第１デジタル音声信号とデータ形式が異なる第２デジタル音声信号と、をＤ／Ａ変換する第１Ｄ／Ａコンバーターと、前記第２デジタル音声信号をＤ／Ａ変換する第２Ｄ／Ａコンバーターと、前記第１出力系統に含まれる第１アナログ出力端子と、前記第２出力系統に含まれる第２アナログ出力端子と、前記第１再生デバイスと、前記第１Ｄ／Ａコンバーター又は前記第２Ｄ／Ａコンバーターと、を接続し、且つ、前記第２再生デバイスと、前記第１Ｄ／Ａコンバーター又は前記第２Ｄ／Ａコンバーターと、を接続する第１スイッチと、前記第１Ｄ／Ａコンバーターと、前記第１アナログ出力端子又は前記第２アナログ出力端子と、を接続し、且つ、前記第２Ｄ／Ａコンバーターと、前記第１アナログ出力端子又は前記第２アナログ出力端子と、を接続する第２スイッチと、前記第２出力系統において前記第１デジタル音声信号を再生する場合、前記第１スイッチにより、前記第２再生デバイスと前記第１Ｄ／Ａコンバーターとを接続し、前記第２スイッチにより、前記第１Ｄ／Ａコンバーターと前記第２アナログ出力端子とを接続する制御部と、を備えることを特徴とする。
【００１２】
本発明では、制御部は、第２出力系統において第１デジタル音声信号を再生する場合、第１スイッチにより、第２再生デバイスと第１Ｄ／Ａコンバーターとを接続し、第２スイッチにより、第１Ｄ／Ａコンバーターと第２アナログ出力端子とを接続する。従って、第２再生デバイスから出力される第１デジタル音声信号は、第１Ｄ／ＡコンバーターによってＤ／Ａ変換される。そして、Ｄ／Ａ変換されたアナログ音声信号は、第２アナログ出力端子に出力される。このように、本発明によれば、第２出力系統においても、第１出力系統と同じ音声信号を再生することができる。
【００１３】
第２の発明の音声処理装置は、第１の発明の音声処理装置において、前記制御部は、前記第２出力系統において前記第１デジタル音声信号を再生する場合、前記第１Ｄ／Ａコンバーターにデジタル音声信号が入力されていなければ、前記第１スイッチにより、前記第２再生デバイスと前記第１Ｄ／Ａコンバーターとを接続し、前記第２スイッチにより、前記第１Ｄ／Ａコンバーターと前記第２アナログ出力端子とを接続することを特徴とする。
【００１４】
第１出力系統においてデジタル音声信号を再生しているときに、第２出力系統において第１デジタル音声信号を再生するために、第１スイッチにより、第２再生デバイスと第１Ｄ／Ａコンバーターとを接続し、第２スイッチにより、第１Ｄ／Ａコンバーターと第２アナログ出力端子とを接続し、且つ、第１スイッチにより、第１再生デバイスと第２Ｄ／Ａコンバーターとを接続し、第２スイッチにより、第２Ｄ／Ａコンバーターと第１アナログ出力端子とを接続した場合、第１出力系統の音声信号に音切れが生じる。このため、本発明では、制御部は、第２出力系統において第１デジタル音声を再生する場合、第１Ｄ／Ａコンバーターにデジタル音声信号が入力されていなければ、第１スイッチにより、第２再生デバイスと第１Ｄ／Ａコンバーターとを接続する。また、制御部は、第２スイッチにより、第１Ｄ／Ａコンバーターと第２アナログ出力端子とを接続する。これにより、第１出力系統において音切れが生じることが防止される。
【００１５】
第３の発明の音声処理装置は、第１の発明の音声処理装置において、前記制御部は、前記第１出力系統において前記第２デジタル音声信号を再生し、且つ、前記第２出力系統において前記第１デジタル音声信号を再生する場合、前記第１スイッチにより、前記第１再生デバイスと前記第２Ｄ／Ａコンバーターとを接続し、且つ、前記第２再生デバイスと前記第１Ｄ／Ａコンバーターとを接続し、前記第２スイッチにより、前記第２Ｄ／Ａコンバーターと前記第１アナログ出力端子とを接続し、且つ、前記第１Ｄ／Ａコンバーターと前記第２アナログ出力端子とを接続することを特徴とする。
【００１６】
本発明では、制御部は、第１出力系統において第２デジタル音声信号を再生する場合、第１スイッチにより、第１再生デバイスと第２Ｄ／Ａコンバーターとを接続し、第２スイッチにより、第２Ｄ／Ａコンバーターと第１アナログ出力端子とを接続する。従って、第１再生デバイスから出力される第２デジタル音声信号は、第２Ｄ／ＡコンバーターによってＤ／Ａ変換される。そして、Ｄ／Ａ変換されたアナログ音声信号は、第１アナログ出力端子に出力される。
【００１７】
第４の発明の音声処理装置は、第１出力系統と、第２出力系統と、を有する音声処理装置であって、前記第１出力系統に含まれる第１再生デバイスと、前記第２出力系統に含まれる第２再生デバイスと、デジタル音声信号をＤ／Ａ変換する第１Ｄ／Ａコンバーターと、デジタル音声信号をＤ／Ａ変換する、前記第１Ｄ／Ａコンバーターよりも性能が劣る第２Ｄ／Ａコンバーターと、前記第１出力系統に含まれる第１アナログ出力端子と、前記第２出力系統に含まれる第２アナログ出力端子と、前記第１再生デバイスと、前記第１Ｄ／Ａコンバーター又は前記第２Ｄ／Ａコンバーターと、を接続し、且つ、前記第２再生デバイスと、前記第１Ｄ／Ａコンバーター又は前記第２Ｄ／Ａコンバーターと、を接続する第１スイッチと、前記第１Ｄ／Ａコンバーターと、前記第１アナログ出力端子又は前記第２アナログ出力端子と、を接続し、且つ、前記第２Ｄ／Ａコンバーターと、前記第１アナログ出力端子又は前記第２アナログ出力端子と、を接続する第２スイッチと、前記第２出力系統においてデジタル音声信号を再生する場合、前記第１スイッチにより、前記第２再生デバイスと前記第１Ｄ／Ａコンバーターとを接続し、前記第２スイッチにより、前記第１Ｄ／Ａコンバーターと前記第２アナログ出力端子とを接続する制御部と、を備えることを特徴とする。
【００１８】
本発明では、制御部は、第２出力系統においてデジタル音声信号を再生する場合、第１スイッチにより、第２再生デバイスと第１Ｄ／Ａコンバーターとを接続し、第２スイッチにより、第１Ｄ／Ａコンバーターと第１アナログ出力端子とを接続する。従って、第２再生デバイスから出力されるデジタル音声信号は、第１Ｄ／ＡコンバーターによってＤ／Ａ変換される。そして、Ｄ／Ａ変換されたアナログ音声信号は、第２アナログ出力端子に出力される。このように、本発明によれば、第２出力系統においても、第１出力系統と同じ品質の音声信号を再生することができる。
【００１９】
第５の発明の音声処理装置は、第１〜第４の発明のいずれかの音声処理装置において、前記第１出力系統は、７．１チャンネルのデジタル音声信号を再生し、前記第２出力系統は、２チャンネルのデジタル音声信号を再生し、前記第１Ｄ／Ａコンバーターは、２チャンネルのデジタル音声信号をそれぞれＤ／Ａ変換する４つのＤ／Ａコンバーターを含み、前記第２Ｄ／Ａコンバーターは、２チャンネルのデジタル音声信号をＤ／Ａ変換するＤ／Ａコンバーターであり、前記第１スイッチは、前記第１再生デバイスのサラウンドバックレフトデジタル音声信号及びサラウンドバックライトデジタル音声信号を出力するサラウンドバックポートと、前記第１Ｄ／Ａコンバーターのうちのサラウンドバックレフトデジタル音声信号及びサラウンドバックライトデジタル音声信号用のサラウンドバックＤ／Ａコンバーター又は前記第２Ｄ／Ａコンバーターと、を接続し、且つ、前記第２再生デバイスと、前記サラウンドバックＤ／Ａコンバーター又は前記第２Ｄ／Ａコンバーターと、を接続し、前記第２スイッチは、前記サラウンドバックＤ／Ａコンバーターと、前記第１アナログ出力端子のうちのサラウンドバックレフトアナログ音声信号及びサラウンドバックライトアナログ音声信号用のサラウンドバックアナログ出力端子又は前記第２アナログ出力端子と、を接続し、且つ、前記第２Ｄ／Ａコンバーターと、前記サラウンドバックアナログ出力端子又は前記第２アナログ出力端子と、を接続することを特徴とする。
【００２０】
５．１チャンネル以下のデジタル音声信号の場合、デジタル音声信号に、サラウンドバックデジタル音声信号は、含まれていないため、サラウンドバックＤ／Ａコンバーターは使用されない。本発明では、第１スイッチは、第１再生デバイスのサラウンドバックポートと、サラウンドバックＤ／Ａコンバーター又は第２Ｄ／Ａコンバーターと、を接続し、且つ、第２再生デバイスと、サラウンドバックＤ／Ａコンバーター又は第２Ｄ／Ａコンバーターと、を接続する。また、第２スイッチは、サラウンドバックＤ／Ａコンバーターと、サラウンドバックアナログ出力端子又は第２アナログ出力端子と、を接続し、且つ、第２Ｄ／Ａコンバーターと、サラウンドバックアナログ出力端子又は第２アナログ出力端子と、を接続する。従って、使用頻度が他のＤ／Ａコンバーターよりも低いサラウンドバックＤ／Ａコンバーターを使用して、第２出力系統で音声信号を再生することができる。
【００２１】
第６の発明の音声処理装置は、第１〜第４の発明のいずれかの音声処理装置において、前記第１出力系統は、５．１チャンネルのデジタル音声信号を再生し、前記第２出力系統は、２チャンネルのデジタル音声信号を再生し、前記第１Ｄ／Ａコンバーターは、２チャンネルのデジタル音声信号をそれぞれＤ／Ａ変換する３つのＤ／Ａコンバーターを含み、前記第２Ｄ／Ａコンバーターは、２チャンネルのデジタル音声信号をＤ／Ａ変換するＤ／Ａコンバーターであり、前記第１スイッチは、前記第１再生デバイスのサラウンドレフトデジタル音声信号及びサラウンドライトデジタル音声信号を出力するサラウンドポートと、前記第１Ｄ／Ａコンバーターのうちのサラウンドレフトデジタル音声信号及びサラウンドライトデジタル音声信号用のサラウンドＤ／Ａコンバーター又は前記第２Ｄ／Ａコンバーターと、を接続し、且つ、前記第２再生デバイスと、前記サラウンドＤ／Ａコンバーター又は前記第２Ｄ／Ａコンバーターと、を接続し、前記第２スイッチは、前記サラウンドＤ／Ａコンバーターと、前記第１アナログ出力端子のうちのサラウンドレフトアナログ音声信号及びサラウンドライトアナログ音声信号用のサラウンドアナログ出力端子又は前記第２アナログ出力端子と、を接続し、且つ、前記第２Ｄ／Ａコンバーターと、前記サラウンドアナログ出力端子又は前記第２アナログ出力端子と、を接続することを特徴とする。
【００２２】
例えば、２．１チャンネルのデジタル音声信号の場合、デジタル音声信号に、サラウンドデジタル音声信号は、含まれていないため、サラウンドＤ／Ａコンバーターは使用されない。本発明では、第１スイッチは、第１再生デバイスのサラウンドポートと、サラウンドＤ／Ａコンバーター又は第２Ｄ／Ａコンバーターと、を接続し、且つ、第２再生デバイスと、サラウンドＤ／Ａコンバーター又は第２Ｄ／Ａコンバーターと、を接続する。また、第２スイッチは、サラウンドＤ／Ａコンバーターと、サラウンドアナログ出力端子又は第２アナログ出力端子と、を接続し、且つ、第２Ｄ／Ａコンバーターと、サラウンドアナログ出力端子又は第２アナログ出力端子と、を接続する。従って、使用頻度が他のＤ／Ａコンバーターよりも低いサラウンドＤ／Ａコンバーターを使用して、第２出力系統で音声信号を再生することができる。
【００２３】
第７の発明の音声処理装置は、第１〜第３の発明のいずれかの音声処理装置において、前記第１デジタル音声信号は、前記第２デジタル音声信号よりもデータ量が多いことを特徴とする。
【００２４】
第８の発明の音声処理装置は、第１〜第３の発明のいずれかの音声処理装置において、前記第１デジタル音声信号は、ＤＳＤデータであり、前記第２デジタル音声信号は、ＰＣＭデータであることを特徴とする。
【００２５】
本発明では、制御部は、第２出力系統においてＤＳＤデータを再生する場合、第１スイッチにより、第２再生デバイスと第１Ｄ／Ａコンバーターとを接続し、第２スイッチにより、第１Ｄ／Ａコンバーターと第２アナログ出力端子とを接続する。従って、第２再生デバイスから出力されるＤＳＤデータは、第１Ｄ／ＡコンバーターによってＤ／Ａ変換される。そして、Ｄ／Ａ変換されたアナログ音声信号は、第２アナログ出力端子に出力される。このように、本発明によれば、第２出力系統においても、ＤＳＤデータを再生することができる。
【発明の効果】
【００２６】
本発明によれば、第１出力系統と、第２出力系統と、を有する音声処理装置において、第２出力系統においても、第１出力系統と同じ音声信号を再生することができる。
【図面の簡単な説明】
【００２７】
【図１】本発明の第１実施形態に係るＡＶレシーバーの構成を示すブロック図である。
【図２】本発明の第１実施形態に係るＡＶレシーバーの構成を示すブロック図である。
【図３】本発明の第２実施形態に係るＡＶレシーバーの構成を示すブロック図である。
【図４】本発明の第２実施形態に係るＡＶレシーバーの構成を示すブロック図である。
【図５】従来のＡＶレシーバーの構成を示すブロック図である。
【発明を実施するための形態】
【００２８】
以下、本発明の実施形態について説明する。
【００２９】
（第１実施形態）
図１及び図２は、本発明の第１実施形態に係るＡＶレシーバーの構成を示すブロック図である。ＡＶレシーバー１は、メイン出力系統と、Ｚｏｎｅ２出力系統と、を有する。ＡＶレシーバー１は、デジタル音声信号に音声信号処理を行って、メインルームに配置されているメインスピーカーにアナログ音声信号を出力する（メイン出力系統（第１出力系統））。また、ＡＶレシーバー１は、デジタル音声信号に音声信号処理を行って、Ｚｏｎｅ２ルーム（サブルーム）に配置されているＺｏｎｅ２スピーカー（サブスピーカー）にアナログ音声信号を出力する（Ｚｏｎｅ２出力系統（第２出力系統））。
【００３０】
ＡＶレシーバー１は、７．１チャンネルのデジタル音声信号に音声信号処理を行うことが可能である。図１及び図２に示すように、ＡＶレシーバー１は、マイクロコンピューター２、表示部３、操作部４、ＤＳＰ５、Ｚｏｎｅ２再生デバイス６、ＤＡＣ７〜１１、アナログ出力端子１２〜１６、スイッチ１７、１８を備える。
【００３１】
マイクロコンピューター２（制御部）は、ＡＶレシーバー１を構成する各部を制御する。表示部３は、設定画面、音量レベルなどを表示するものである。表示部３は、ＬＣＤ（液晶ディスプレイ）や蛍光表示管等から構成されている。操作部４は、ユーザー操作を受け付けるためのものである。操作部４は、ＡＶレシーバー１の筐体に設けられた操作ボタン、リモートコントローラーにより構成されている。ユーザーは、操作部４を操作することにより、入力される音声信号を、メインスピーカー、Ｚｏｎｅ２スピーカーのいずれに出力するかをＡＶレシーバー１に指示することが可能である。
【００３２】
ＤＳＰ５（第１再生デバイス）は、デジタル音声信号を再生するデバイスである。ＤＳＰ５は、メインスピーカーに出力される音声信号用の再生デバイスである。Ｚｏｎｅ２再生デバイス６（第２再生デバイス）は、デジタル音声信号を再生するデバイスである。Ｚｏｎｅ２再生デバイス６は、Ｚｏｎｅ２スピーカーに出力される音声信号用の再生デバイスである。ＤＡＣ７〜１０（第１Ｄ／Ａコンバーター）は、デジタル音声信号をアナログ音声信号にＤ／Ａ変換する。ＤＡＣ７〜１０は、ＤＳＤ（Direct Stream Digital）データ（第１デジタル音声信号）、ＰＣＭ（Pulse Code Module）データ（第２デジタル音声信号）をＤ／Ａ変換可能である。また、ＤＡＣ７〜１０は、それぞれ、２チャンネルＤＡＣである。
【００３３】
ＤＡＣ７には、ＤＳＰ５から、フロントレフトデジタル音声信号と、フロントライトデジタル音声信号と、が入力される。ＤＡＣ７は、フロントレフトデジタル音声信号と、フロントライトデジタル音声信号と、をＤ／Ａ変換して、フロントアナログ出力端子１２（フロントレフトアナログ出力端子、及び、フロントライトアナログ出力端子）に出力する。ＤＡＣ８には、ＤＳＰ５から、センターデジタル音声信号と、サブウーファーデジタル音声信号と、が入力される。ＤＡＣ８は、センターデジタル音声信号と、サブウーファーデジタル音声信号と、をＤ／Ａ変換して、センター／サブウーファーアナログ出力端子１３（センターアナログ出力端子、及び、サブウーファーアナログ出力端子）に出力する。ＤＡＣ９には、ＤＳＰ５から、サラウンドレフトデジタル音声信号と、サラウンドライトデジタル音声信号と、が入力される。ＤＡＣ９は、サラウンドレフトデジタル音声信号と、サラウンドライトデジタル音声信号と、をＤ／Ａ変換して、サラウンドアナログ出力端子１４（サラウンドレフトアナログ出力端子、及び、サラウンドライトアナログ出力端子）に出力する。
【００３４】
図１に示す場合、ＤＡＣ１０（サラウンドバックＤ／Ａコンバーター）には、ＤＳＰ５から、サラウンドバックレフトデジタル音声信号と、サラウンドバックライトデジタル音声信号と、が入力される。ＤＡＣ１０は、サラウンドバックレフトデジタル音声信号と、サラウンドバックライトデジタル音声信号と、をＤ／Ａ変換して、サラウンドバックアナログ出力端子１５（サラウンドバックレフトアナログ出力端子、及び、サラウンドバックライトアナログ出力端子）に出力する。また、図２に示す場合、ＤＡＣ１０には、Ｚｏｎｅ２再生デバイス６から、Ｚｏｎｅ２レフトデジタル音声信号と、Ｚｏｎｅ２ライトデジタル音声信号と、が入力される。ＤＡＣ１０は、Ｚｏｎｅ２レフトデジタル音声信号と、Ｚｏｎｅ２ライトデジタル音声信号と、をＤ／Ａ変換して、Ｚｏｎｅ２アナログ出力端子１６（Ｚｏｎｅ２レフトアナログ出力端子、及び、Ｚｏｎｅ２ライトアナログ出力端子）を出力する。
【００３５】
ＤＡＣ１１（第２Ｄ／Ａコンバーター）は、デジタル音声信号をアナログ音声信号にＤ／Ａ変換する。ＤＡＣ１１は、ＰＣＭデータをＤ／Ａ変換可能であるが、ＤＳＤデータをＤ／Ａ変換することはできない。また、ＤＡＣ１１は、２チャンネルＤＡＣである。図１に示す場合、ＤＡＣ１１には、Ｚｏｎｅ２再生デバイス６から、Ｚｏｎｅ２レフトデジタル音声信号と、Ｚｏｎｅ２ライトデジタル音声信号と、が入力される。ＤＡＣ１１は、Ｚｏｎｅ２レフトデジタル音声信号と、Ｚｏｎｅ２ライトデジタル音声信号と、をＤ／Ａ変換して、Ｚｏｎｅ２アナログ出力端子１６（Ｚｏｎｅ２レフトアナログ出力端子、及び、Ｚｏｎｅ２ライトアナログ出力端子）に出力する。図２示す場合、ＤＡＣ１１には、ＤＳＰ５から、サラウンドバックレフトデジタル音声信号と、サラウンドバックライトデジタル音声信号と、が入力される。ＤＡＣ１１は、サラウンドバックレフトデジタル音声信号と、サラウンドバックライトデジタル音声信号と、をＤ／Ａ変換して、サラウンドバックアナログ出力端子１５（サラウンドバックレフトアナログ出力端子、及び、サラウンドバックライトアナログ出力端子）に出力する。
【００３６】
フロントアナログ出力端子１２（フロントレフトアナログ出力端子、及び、フロントライトアナログ出力端子）には、フロントレフトスピーカーと、フロントライトスピーカーと、が接続されている。センター／サブウーファーアナログ出力端子１３（センターアナログ出力端子、及び、サブウーファーアナログ出力端子）には、センタースピーカーと、サブウーファースピーカーと、が接続されている。サラウンドアナログ出力端子１４（サラウンドレフトアナログ出力端子、及び、サラウンドライトアナログ出力端子）には、サラウンドレフトスピーカーと、サラウンドライトスピーカーと、が接続されている。サラウンドバックアナログ出力端子１５（サラウンドバックレフトアナログ出力端子、及び、サラウンドバックライトアナログ出力端子）には、サラウンドバックレフトスピーカーと、サラウンドバックライトスピーカーと、が接続されている。フロントレフトスピーカーと、フロントライトスピーカーと、センタースピーカーと、サブウーファースピーカーと、サラウンドレフトスピーカーと、サラウンドライトスピーカーと、サラウンドバックレフトスピーカーと、サラウンドバックライトスピーカーと、がメインスピーカーを構成する。メインスピーカーは、７．１チャンネルのアナログ音声信号に従って、音声を再生する。
【００３７】
Ｚｏｎｅ２アナログ出力端子１６（Ｚｏｎｅ２レフトアナログ出力端子、及び、Ｚｏｎｅ２ライトアナログ出力端子）には、フロントレストスピーカーと、フロントライトスピーカーと、が接続されていている。フロントレストスピーカーと、フロントライトスピーカーと、がＺｏｎｅ２スピーカーを構成する。Ｚｏｎｅ２スピーカーは、２チャンネルのアナログ音声信号に従って、音声を再生する。
【００３８】
スイッチ１７（第１スイッチ）は、ＤＳＰ５のサラウンドバックポートと、ＤＡＣ１０又はＤＡＣ１１と、を接続する。また、スイッチ１７は、Ｚｏｎｅ２再生デバイス６と、ＤＡＣ１０又はＤＡＣ１１と、を接続する。スイッチ１７は、例えば、ＰＬＤが利用される。サラウンドバックポートは、サラウンドバックレフトデジタル音声信号及びサラウンドバックライトデジタル音声信号を出力するポートである。
【００３９】
スイッチ１８（第２スイッチ）は、ＤＡＣ１０と、サラウンドバックアナログ出力端子１５又はＺｏｎｅ２アナログ出力端子１６と、を接続する。また、スイッチ１８は、ＤＣ１１と、サラウンドバックアナログ出力端子１５又はＺｏｎｅ２アナログ出力端子１６と、を接続する。スイッチ１８は、例えば、スピーカーリレーである。
【００４０】
マイクロコンピューター２は、Ｚｏｎｅ２出力系統においてＤＳＤデータを再生する場合、すなわち、Ｚｏｎｅ２スピーカーからＤＳＤデータに基づいた音声を出力する場合、図２に示すように、スイッチ１７により、Ｚｏｎｅ２再生デバイス６とＤＡＣ１０とを接続する。また、マイクロコンピューター２は、スイッチ１８により、ＤＡＣ１０とＺｏｎｅ２アナログ出力端子１６とを接続する。このため、Ｚｏｎｅ２再生デバイス６から出力されるＤＳＤデータは、ＤＡＣ１０によってＤ／Ａ変換される。そして、Ｄ／Ａ変換されたアナログ音声信号は、Ｚｏｎｅ２アナログ出力端子１６に出力される。
【００４１】
マイクロコンピューター２は、図２に示すように、スイッチ１７により、ＤＳＰ５のサラウンドバックポートと、ＤＡＣ１１と、を接続する。また、マイクロコンピューター２は、スイッチ１８により、ＤＡＣ１１と、サラウンドバックアナログ出力端子１５と、を接続する。
【００４２】
メイン出力系統において７．１チャンネルのデジタル音声信号を再生しているときに、Ｚｏｎｅ２出力系統においてＤＳＤデータを再生するために、スイッチ１７により、Ｚｏｎｅ２再生デバイス６とＤＡＣ１０とを接続し、スイッチ１８により、ＤＡＣ１０とＺｏｎｅ２アナログ出力端子１６とを接続し、且つ、スイッチ１７により、ＤＳＰ５とＤＡＣ１１とを接続し、スイッチ１８により、ＤＡＣ１１とサラウンドバックアナログ出力端子１５とを接続した場合、メイン出力系統のサラウンドバック音声信号に音切れが生じる。このため、マイクロコンピューター２は、Ｚｏｎｅ２出力系統においてＤＳＤデータを再生する場合、ＤＡＣ１０にサラウンドバックデジタル音声信号が入力されていなければ、図２に示すように、スイッチ１７により、Ｚｏｎｅ２再生デバイス６とＤＡＣ１０とを接続する。また、マイクロコンピューター２は、スイッチ１８により、ＤＡＣ１０とＺｏｎｅ２アナログ出力端子１６とを接続する。これにより、メイン出力系統において音切れが生じることが防止される。
【００４３】
マイクロコンピューター２は、Ｚｏｎｅ２出力系統においてＰＣＭデータを再生する場合、すなわち、Ｚｏｎｅ２スピーカーからＰＣＭデータに基づいた音声を出力する場合、図１に示すように、スイッチ１７により、Ｚｏｎｅ２再生デバイス６とＤＡＣ１１とを接続する。また、マイクロコンピューター２は、スイッチ１８により、ＤＡＣ１１とＺｏｎｅ２アナログ出力端子１６とを接続する。このため、Ｚｏｎｅ２再生デバイス６から出力されるＰＣＭデータは、ＤＡＣ１１によってＤ／Ａ変換される。そして、Ｄ／Ａ変換されたアナログ音声信号は、Ｚｏｎｅ２アナログ出力端子１６に出力される。
【００４４】
マイクロコンピューター２は、図１に示すように、スイッチ１７により、ＤＳＰ５のサラウンドバックポートと、ＤＡＣ１０と、を接続する。また、マイクロコンピューター２は、スイッチ１８により、ＤＡＣ１０と、サラウンドバックアナログ出力端子１５と、を接続する。
【００４５】
以上説明したように、本実施形態においては、マイクロコンピューター２は、Ｚｏｎｅ２出力系統においてＤＳＤデータを再生する場合、図２に示すように、スイッチ１７により、Ｚｏｎｅ２再生デバイス６とＤＡＣ１０とを接続し、スイッチ１８により、ＤＡＣ１０とＺｏｎｅ２アナログ出力端子１８とを接続する。従って、Ｚｏｎｅ２再生デバイス６から出力されるＤＳＤデータは、ＤＡＣ１０によってＤ／Ａ変換される。そして、Ｄ／Ａ変換されたアナログ音声信号は、Ｚｏｎｅ２アナログ出力端子１６に出力される。このように、本実施形態によれば、Ｚｏｎｅ２出力系統においても、メイン出力系統と同じ音声信号を再生することができる。
【００４６】
５．１チャンネル以下のデジタル音声信号の場合、デジタル音声信号に、サラウンドバックデジタル音声信号は、含まれていないため、サラウンドバック用のＤＡＣ１０は使用されない。本実施形態では、スイッチ１７は、ＤＳＰ５のサラウンドバックポートと、ＤＡＣ１０又はＤＡＣ１１と、を接続し、且つ、Ｚｏｎｅ２再生デバイス６と、ＤＡＣ１０又はＤＡＣ１１と、を接続する。また、スイッチ１８は、ＤＡＣ１０と、サラウンドバックアナログ出力端子１５又はＺｏｎｅ２アナログ出力端子１６と、を接続し、且つ、ＤＡＣ１１と、サラウンドバックアナログ出力端子１５又はＺｏｎｅ２アナログ出力端子１６と、を接続する。従って、使用頻度が他のＤＡＣ７〜９よりも低いサラウンドバック用のＤＡＣ１０を使用して、Ｚｏｎｅ２出力系統で音声信号を再生することができる。
【００４７】
（第２実施形態）
図３及び図４は、本発明の第２実施形態に係るＡＶレシーバーの構成を示すブロック図である。第２実施形態に係るＡＶレシーバー１は、第１実施形態に係るＡＶレシーバー１と比較して、サラウンドバック用のＤＡＣ１０が含まれていない構成が主に異なる。従って、ＡＶレシーバー１は、３つのＤＡＣ７〜９を備え、５．１チャンネルのデジタル音声信号に音声信号処理を行うことが可能である。以下、第１実施形態と異なる構成について説明する。
【００４８】
スイッチ１７は、ＤＳＰ５のサラウンドポートと、ＤＡＣ９又はＤＡＣ１１と、を接続する。また、スイッチ１７は、Ｚｏｎｅ２再生デバイス６と、ＤＡＣ９又はＤＡＣ１１と、を接続する。スイッチ１８は、ＤＡＣ９と、サラウンドアナログ出力端子１４又はＺｏｎｅ２アナログ出力端子１６と、を接続する。サラウンドポートは、サラウンドレフトデジタル音声信号及びサラウンドライトデジタル音声信号を出力するポートである。
【００４９】
マイクロコンピューター２は、Ｚｏｎｅ２出力系統においてＤＳＤデータを再生する場合、すなわち、Ｚｏｎｅ２スピーカーからＤＳＤデータに基づいた音声を出力する場合、図４に示すように、スイッチ１７により、Ｚｏｎｅ２再生デバイス６とＤＡＣ９とを接続する。また、マイクロコンピューター２は、スイッチ１８により、ＤＡＣ９とＺｏｎｅ２アナログ出力端子１６とを接続する。このため、Ｚｏｎｅ２再生デバイス６から出力されるＤＳＤデータは、ＤＡＣ９によってＤ／Ａ変換される。そして、Ｄ／Ａ変換されたアナログ音声信号は、Ｚｏｎｅ２アナログ出力端子１６に出力される。
【００５０】
マイクロコンピューター２は、図２に示すように、スイッチ１７により、ＤＳＰ５のサラウンドポートと、ＤＡＣ１１と、を接続する。また、マイクロコンピューター２は、スイッチ１８により、ＤＡＣ１１と、サラウンドアナログ出力端子１４と、を接続する。
【００５１】
メイン出力系統において５．１チャンネルのデジタル音声信号を再生しているときに、Ｚｏｎｅ２出力系統においてＤＳＤデータを再生するために、スイッチ１７により、Ｚｏｎｅ２再生デバイス６とＤＡＣ９とを接続し、スイッチ１８により、ＤＡＣ９とＺｏｎｅ２アナログ出力端子１６とを接続し、且つ、スイッチ１７により、ＤＳＰ５とＤＡＣ１１とを接続し、スイッチ１８により、ＤＡＣ１１とサラウンドアナログ出力端子１４とを接続した場合、メイン出力系統のサラウンド音声信号に音切れが生じる。このため、マイクロコンピューター２は、Ｚｏｎｅ２出力系統においてＤＳＤデータを再生する場合、ＤＡＣ９にサラウンドデジタル音声信号が入力されていなければ、図４に示すように、スイッチ１７により、Ｚｏｎｅ２再生デバイス６とＤＡＣ９とを接続する。また、マイクロコンピューター２は、スイッチ１８により、ＤＡＣ９とＺｏｎｅ２アナログ出力端子１６とを接続する。これにより、メイン出力系統において音切れが生じることが防止される。
【００５２】
マイクロコンピューター２は、Ｚｏｎｅ２出力系統においてＰＣＭデータを再生する場合、すなわち、Ｚｏｎｅ２スピーカーからＰＣＭデータに基づいた音声を出力する場合、図３に示すように、スイッチ１７により、Ｚｏｎｅ２再生デバイス６とＤＡＣ１１とを接続する。また、マイクロコンピューター２は、スイッチ１８により、ＤＡＣ１１とＺｏｎｅ２アナログ出力端子１６とを接続する。このため、Ｚｏｎｅ２再生デバイス６から出力されるＰＣＭデータは、ＤＡＣ１１によってＤ／Ａ変換される。そして、Ｄ／Ａ変換されたアナログ音声信号は、Ｚｏｎｅ２アナログ出力端子１６に出力される。
【００５３】
マイクロコンピューター２は、図３に示すように、スイッチ１７により、ＤＳＰ５のサラウンドポートと、ＤＡＣ９と、を接続する。また、マイクロコンピューター２は、スイッチ１８により、ＤＡＣ９と、サラウンドアナログ出力端子１４と、を接続する。
【００５４】
以上説明したように、本実施形態においては、マイクロコンピューター２は、Ｚｏｎｅ２出力系統においてＤＳＤデータを再生する場合、図４に示すように、スイッチ１７により、Ｚｏｎｅ２再生デバイス６とＤＡＣ９とを接続し、スイッチ１８により、ＤＡＣ９とＺｏｎｅ２アナログ出力端子１６とを接続する。従って、Ｚｏｎｅ２再生デバイス６から出力されるＤＳＤデータは、ＤＡＣ９によってＤ／Ａ変換される。そして、Ｄ／Ａ変換されたアナログ音声信号は、Ｚｏｎｅ２アナログ出力端子１６に出力される。このように、本実施形態によれば、Ｚｏｎｅ２出力系統においても、メイン出力系統と同じ音声信号を再生することができる。
【００５５】
例えば、２．１チャンネルのデジタル音声信号の場合、デジタル音声信号に、サラウンドデジタル音声信号は、含まれていないため、サラウンド用のＤＡＣ９は使用されない。本実施形態では、スイッチ１７は、ＤＳＰ５のサラウンドポートと、ＤＡＣ９又はＤＡＣ１１と、を接続し、且つ、Ｚｏｎｅ２再生デバイス６と、ＤＡＣ９又はＤＡＣ１１と、を接続する。また、スイッチ１８は、ＤＡＣ９と、サラウンドバックアナログ出力端子１５又はＺｏｎｅ２アナログ出力端子１６と、を接続し、且つ、ＤＡＣ１１と、サラウンドアナログ出力端子１４又はＺｏｎｅ２アナログ出力端子１６と、を接続する。従って、使用頻度が他のＤＡＣ７、８よりも低いサラウンド用のＤＡＣ９を使用して、Ｚｏｎｅ２出力系統で音声信号を再生することができる。
【００５６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５７】
上述の実施形態においては、ＤＡＣ７〜１０は、ＰＣＭデータとＤＳＤデータとをＤ／Ａ変換可能であり、ＤＡＣ１１は、ＰＣＭデータをＤ／Ａ変換可能であるが、ＤＳＤデータを変換することができない。このように、ＤＡＣ７〜１０と、ＤＡＣ１１とは、Ｄ／Ａ変換可能なデータ形式が異なっていた。これに限らず、ＤＡＣ７〜１０と、ＤＡＣ１１とは、性能差が異なっていてもよい。例えば、ＤＡＣ１１は、ＤＡＣ７〜１０よりも性能が劣っていてもよい。製品単価を抑えるため、ＤＡＣ１１として、ＤＡＣ７〜１０よりも性能が劣る安価なものが採用されるような場合である。
【００５８】
上述の第１実施形態においては、マイクロコンピューター２は、Ｚｏｎｅ２出力系統においてＤＳＤデータを再生する場合、ＤＡＣ１０にサラウンドバックデジタル音声信号が入力されていなければ、図２に示すように、スイッチ１７により、Ｚｏｎｅ２再生デバイス６とＤＡＣ１０とを接続する。また、マイクロコンピューター２は、スイッチ１８により、ＤＡＣ１０とＺｏｎｅ２アナログ出力端子１６とを接続する。
【００５９】
ここで、サラウンドバック音声信号は、常に、一定の音量であるという可能性は低い。そのため、メイン出力系統において７．１チャンネルのデジタル音声信号を再生している場合に、スイッチ１７により、Ｚｏｎｅ２再生デバイス６とＤＡＣ１０とを接続し、スイッチ１８により、ＤＡＣ１０とＺｏｎｅ２アナログ出力端子１６とを接続しても、ユーザーに、メイン出力系統のサラウンドバック音声信号の音切れが察知されにくい。
【００６０】
従って、マイクロコンピューター２は、サラウンドバック音声信号の平均レベルを算出し、所定の閾値以下である場合、メイン出力系統において７．１チャンネルのデジタル音声信号を再生していても、スイッチ１７により、ＤＳＰ５とＤＡＣ１１とを接続し、且つ、Ｚｏｎｅ２再生デバイス６とＤＡＣ１０とを接続し、スイッチ１８により、ＤＡＣ１１とサラウンドバックアナログ出力端子１５とを接続し、且つ、ＤＡＣ１０とＺｏｎｅ２アナログ出力端子１６とを接続するようにしてもよい。すなわち、マイクロコンピューター２は、メイン出力系統においてＰＣＭデータを再生し、且つ、Ｚｏｎｅ２出力系統においてＤＳＤデータを再生する場合、スイッチ１７により、ＤＳＰ５とＤＡＣ１１とを接続し、且つ、Ｚｏｎｅ２再生デバイス６とＤＡＣ１０とを接続し、スイッチ１８により、ＤＡＣ１１とサラウンドバックアナログ出力端子１５とを接続し、且つ、ＤＡＣ１０とＺｏｎｅ２アナログ出力端子１６とを接続する。
【００６１】
このような場合、サラウンドバック音声信号をＤ／Ａ変換するＤＡＣは、ＤＡＣ１０からＤＡＣ１１に変更される。このため、ＤＡＣ１０とＤＡＣ１１との特性差を、ＤＳＰ５により、補正するようにしてもよい。補正としては、デジタルフィルタの群遅延の補正等である。第２実施形態の場合も同様である。
【００６２】
上述の実施形態においては、第１デジタル音声信号として、ＤＳＤデータ、第２デジタル音声信号として、ＰＣＭデータを例示した。これに限らず、第１デジタル音声信号と第２デジタル音声信号とは、データ形式が異なっていればよい。例えば、第２デジタル音声信号は、第１デジタル音声信号よりもデータ量が多いデータ形式であってもよい。
【００６３】
上述の実施形態においては、メイン出力系統は、７．１チャンネル、５．１チャンネルであり、Ｚｏｎｅ２出力系統は、２チャンネルである。チャンネル数は、これらに限られない。
【００６４】
上述の実施形態においては、音声処理装置として、ＡＶレシーバーを例示した。これに限らず、他の音声処理装置であってもよい。
【産業上の利用可能性】
【００６５】
本発明は、デジタル音声信号に音声信号処理を行う音声処理装置に好適に採用され得る。
【符号の説明】
【００６６】
１  ＡＶレシーバー（音声処理装置）
２  マイクロコンピューター（制御部）
５  ＤＳＰ（第１再生デバイス）
６  Ｚｏｎｅ２再生デバイス（第２再生デバイス）
７  ＤＡＣ（第１Ｄ／Ａコンバーター）
８  ＤＡＣ（第１Ｄ／Ａコンバーター）
９  ＤＡＣ（第１Ｄ／Ａコンバーター、サラウンドＤ／Ａコンバーター）
１０  ＤＡＣ（第１Ｄ／Ａコンバーター、サラウンドバックＤ／Ａコンバーター）
１１  ＤＡＣ（第２Ｄ／Ａコンバーター）
１２  フロントアナログ出力端子（第１アナログ出力端子）
１３  センター／サブウーファー出力端子（第１アナログ出力端子）
１４  サラウンドアナログ出力端子（第１アナログ出力端子）
１５  サラウンドバックアナログ出力端子（第１アナログ出力端子）
１６  Ｚｏｎｅ２アナログ出力端子（第２アナログ出力端子）
１７  スイッチ（第１スイッチ）
１８  スイッチ（第２スイッチ）
【図１】
0006528600.tif 000002
【図２】
0006528600.tif 000003
【図３】
0006528600.tif 000004
【図４】
0006528600.tif 000005
【図５】
0006528600.tif 000006